(57)【要約】      （修正有）【課題】無線受電装置に有線接続され且つ無線接続に対応していないデバイスの充電を確実に完了させることができる無線受電装置を提供する。【解決手段】送電装置１０２に無線接続された無線受電装置１０１及び無線受電装置１０１に有線接続されたデバイス１０３の充電が完了したとき、無線受電装置１０１は充電が完了したことを送電装置１０２に送信する。【選択図】図１
2016059203.tif 000002
【特許請求の範囲】
【請求項１】
送電装置に無線接続され且つデバイスに有線接続されている無線受電装置において、
前記送電装置から電力を受電する受電手段と、
前記無線受電装置の充電が完了したか否かを判別する第１の判別手段と、
前記送電装置から受電された電力を前記デバイスに供給する供給手段と、
前記デバイスに供給した電力によって前記デバイスの充電が完了したか否かを判別する第２の判別手段と、
前記第１の判別手段が前記無線受電装置の充電が完了したと判別し、且つ前記第２の判別手段が前記デバイスの充電が完了したと判別したとき、充電完了を示す情報を前記送電装置に送信する送信手段とを備えることを特徴とする無線受電装置。
【請求項２】
前記デバイスに有線接続されているか否かを判別する第３の判別手段と、
前記送電装置から受電できる最大の電力に関する情報を格納する格納手段とをさらに備え、
前記最大の電力に関する情報は前記無線受電装置が前記デバイスに有線接続されているか否かに応じて変化し、
前記第３の判別手段は前記最大の電力に関する情報に基づいて前記デバイスに有線接続されているか否かを判別することを特徴とする請求項１記載の無線受電装置。
【請求項３】
前記最大の電力に関する情報は複数の区分に分類されていることを特徴とする請求項２記載の無線受電装置。
【請求項４】
送電装置に無線接続されている無線受電装置において、
前記送電装置から電力を受電する受電手段と、
前記無線受電装置の充電が完了したか否かを判別する第１の判別手段と、
デバイスと有線接続する接続手段と、
前記送電装置から受電された電力を前記デバイスに供給する供給手段と、
前記デバイスに供給した電力によって前記デバイスの充電が完了したか否かを判別する第２の判別手段とを備え、
前記第１の判別手段が前記無線受電装置の充電が完了したと判別した後に前記デバイスと有線接続し、さらに、前記第２の判別手段が前記有線接続されたデバイスの充電が完了したと判別したとき、充電完了を示す情報を前記送電装置に送信する送信手段とを備えることを特徴とする無線受電装置。
【請求項５】
送電装置に無線接続され且つデバイスに有線接続されている無線受電装置の制御方法において、
前記送電装置から電力を受電する受電ステップと、
前記無線受電装置の充電が完了したか否かを判別する第１の判別ステップと、
前記送電装置から受電された電力を前記デバイスに供給する供給ステップと、
前記デバイスに供給した電力によって前記デバイスの充電が完了したか否かを判別する第２の判別ステップと、
前記第１の判別ステップにおいて前記無線受電装置の充電が完了したと判別され、且つ前記第２の判別ステップにおいて前記デバイスの充電が完了したと判別されたとき、充電完了を示す情報を前記送電装置に送信する送信ステップとを有することを特徴とする無線受電装置の制御方法。
【請求項６】
送電装置に無線接続されている無線受電装置の制御方法において、
前記送電装置から電力を受電する受電ステップと、
前記無線受電装置の充電が完了したか否かを判別する第１の判別ステップと、
デバイスと有線接続する接続ステップと、
前記送電装置から受電された電力を前記デバイスに供給する供給ステップと、
前記デバイスに供給した電力によって前記デバイスの充電が完了したか否かを判別する第２の判別ステップとを有し、
前記第１の判別ステップにおいて前記無線受電装置の充電が完了したと判別された後に前記無線受電装置が前記デバイスと有線接続し、さらに、前記第２の判別ステップにおいて前記有線接続されたデバイスの充電が完了したと判別されたとき、充電完了を示す情報を前記送電装置に送信する送信ステップとを有することを特徴とする無線受電装置の制御方法。
【請求項７】
送電装置に無線接続され且つデバイスに有線接続されている無線受電装置の制御方法をコンピュータに実行させるプログラムであって、
前記無線受電装置の制御方法は、
前記送電装置から電力を受電する受電ステップと、
前記無線受電装置の充電が完了したか否かを判別する第１の判別ステップと、
前記送電装置から受電された電力を前記デバイスに供給する供給ステップと、
前記デバイスに供給した電力によって前記デバイスの充電が完了したか否かを判別する第２の判別ステップと、
前記第１の判別ステップにおいて前記無線受電装置の充電が完了したと判別され、且つ前記第２の判別ステップにおいて前記デバイスの充電が完了したと判別されたとき、充電完了を示す情報を前記送電装置に送信する送信ステップとを有することを特徴とするプログラム。
【請求項８】
送電装置に無線接続されている無線受電装置の制御方法をコンピュータに実行させるプログラムであって、
前記無線受電装置の制御方法は、
前記送電装置から電力を受電する受電ステップと、
前記無線受電装置の充電が完了したか否かを判別する第１の判別ステップと、
デバイスと有線接続する接続ステップと、
前記送電装置から受電された電力を前記デバイスに供給する供給ステップと、
前記デバイスに供給した電力によって前記デバイスの充電が完了したか否かを判別する第２の判別ステップとを有し、
前記第１の判別ステップにおいて前記無線受電装置の充電が完了したと判別された後に前記無線受電装置が前記デバイスと有線接続し、さらに、前記第２の判別ステップにおいて前記有線接続されたデバイスの充電が完了したと判別されたとき、充電完了を示す情報を前記送電装置に送信する送信ステップとを有することを特徴とするプログラム。
【発明の詳細な説明】
【技術分野】
【０００１】
本発明は、無線受電装置、該装置の制御方法、及びプログラムに関する。
【背景技術】
【０００２】
従来より、送電装置から電力が供給される無線受電装置が知られている（例えば、特許文献１参照）。特許文献１の無線受電装置は送電装置と無線接続され、送電装置から無線によって供給された電力は無線受電装置の充電に使用される。ところで、特許文献１の無線受電装置には無線接続に対応していないデバイスが有線接続される場合がある。この場合、有線接続されたデバイスの充電に使用される電力は送電装置から無線受電装置を介してのみ供給される。
【先行技術文献】
【特許文献】
【０００３】
【特許文献１】特開２０１０−６３２４５号公報
【発明の概要】
【発明が解決しようとする課題】
【０００４】
しかしながら、無線受電装置は自身の充電が完了すると充電完了を示す情報を送電装置へ送信し、送電装置は充電完了を示す情報の受信に応じて電力の供給を停止するため、例えば、無線受電装置に有線接続されたデバイスの充電が完了する前に無線受電装置の充電が完了したとき、送電装置からの電力の供給が停止されてデバイスの充電を確実に完了させることができないという問題があった。
【０００５】
本発明の目的は、無線受電装置に有線接続され且つ無線接続に対応していないデバイスの充電を確実に完了させることができる無線受電装置、該装置の制御方法、及びプログラムを提供することにある。
【課題を解決するための手段】
【０００６】
上記目的を達成するために、本発明の無線受電装置は、送電装置に無線接続され且つデバイスに有線接続されている無線受電装置において、前記送電装置から電力を受電する受電手段と、前記無線受電装置の充電が完了したか否かを判別する第１の判別手段と、前記送電装置から受電された電力を前記デバイスに供給する供給手段と、前記デバイスに供給した電力によって前記デバイスの充電が完了したか否かを判別する第２の判別手段と、前記第１の判別手段が前記無線受電装置の充電が完了したと判別し、且つ前記第２の判別手段が前記デバイスの充電が完了したと判別したとき、充電完了を示す情報を前記送電装置に送信する送信手段とを備えることを特徴とする。
【０００７】
また、上記目的を達成するために、本発明の無線受電装置は、送電装置に無線接続されている無線受電装置において、前記送電装置から電力を受電する受電手段と、前記無線受電装置の充電が完了したか否かを判別する第１の判別手段と、デバイスと有線接続する接続手段と、前記送電装置から受電された電力を前記デバイスに供給する供給手段と、前記デバイスに供給した電力によって前記デバイスの充電が完了したか否かを判別する第２の判別手段とを備え、前記第１の判別手段が前記無線受電装置の充電が完了したと判別した後に前記デバイスと有線接続し、さらに、前記第２の判別手段が前記有線接続されたデバイスの充電が完了したと判別したとき、充電完了を示す情報を前記送電装置に送信する送信手段とを備えることを特徴とする。
【発明の効果】
【０００８】
本発明によれば、無線受電装置に有線接続され且つ無線接続に対応していないデバイスの充電を確実に完了させることができる。
【図面の簡単な説明】
【０００９】
【図１】本発明の第１の実施の形態に係る無線受電装置を含む電力供給システムの構成を概略的に示す図である。
【図２】図１における無線受電装置及び送電装置の内部構成を概略的に示すブロック図である。
【図３】図２における送電装置制御部によって実行される無線受電装置への電力供給処理の手順を示すフローチャートである。
【図４】図２における受電装置制御部によって実行される送電装置からの電力受電処理の手順を示すフローチャートである。
【図５】図４の電力受電処理の変形例の手順を示すフローチャートである。
【図６】図５のステップＳ５０３において無線受電装置の最大受電量を変更する際に使用される受電量区分一覧を説明するために用いられる図である。
【図７】図２における受電装置制御部によって実行される送電装置からの電力受電処理の手順を示すフローチャートである。
【発明を実施するための形態】
【００１０】
以下、本発明の実施の形態について図面を参照しながら詳述する。
【００１１】
まず、本発明の第１の実施の形態について説明する。
【００１２】
図１は、本発明の第１の実施の形態に係る無線受電装置１０１を含む電力供給システム１００の構成を概略的に示す図である。
【００１３】
図１の電力供給システム１００は無線受電装置１０１、送電装置１０２、及びデバイス１０３を有する。無線受電装置１０１は、例えば、Ｔａｂｌｅｔ  ＰＣ、Ｌａｐｔｏｐ  ＰＣ、又はＳｍａｒｔ  Ｐｈｏｎｅである。無線受電装置１０１及び送電装置１０２は無線接続され、無線受電装置１０１及びデバイス１０３はケーブル１０４を介して有線接続されている。デバイス１０３は無線受電装置１０１及び送電装置１０２との無線接続に対応していない。無線受電装置１０１は送電装置１０２から供給された電力を受電する。また、無線受電装置１０１は送電装置１０２と、例えば、後述する充電情報や充電完了通知のような電力に関する情報を通信する。
【００１４】
図２は、図１における無線受電装置１０１及び送電装置１０２の内部構成を概略的に示すブロック図である。
【００１５】
図２の無線受電装置１０１は無線受電制御部２０１、フラッシュＲＯＭ２０２、ＲＡＭ２０３、受電装置通信部２０４、受電装置表示操作部２０５、充電制御部２０６、有線Ｉ／Ｆ２０７、及びタイマ２０８を有し、これらの構成要素は受電装置制御部２０９を介して互いに接続されている。さらに、無線受電装置１０１は受電アンテナ２１０、レギュレータ２１１、及び充電が可能な二次電池としての電池２１２を有し、受電アンテナ２１０は無線受電制御部２０１に接続され、レギュレータ２１１は無線受電制御部２０１及び充電制御部２０６に接続され、電池２１２は充電制御部２０６に接続されている。
【００１６】
無線受電制御部２０１は受電アンテナ２１０を制御して送電装置１０２から電力を受電し、受電した電力から直流電力を生成する。また、無線受電制御部２０１は受電した電力の電圧及び電流を測定し、測定された電圧及び電流を受電装置制御部２０９に送信する。フラッシュＲＯＭ２０２は不揮発性のメモリであり、受電装置制御部２０９が使用するプログラム又は無線受電装置１０１に関する情報、例えば、後述する無線受電装置１０１の最大受電量を格納する。
【００１７】
ＲＡＭ２０３は揮発性メモリであり、受電装置制御部２０９が使用するプログラム、送電装置１０２から受信したデータ、又は無線受電装置１０１に関する情報が変更されたか否かを示すフラグを格納する。なお、当該フラグが「０」の場合は、無線受電装置１０１に関する情報が変更されていないことを示し、当該フラグが「１」の場合は、無線受電装置１０１に関する情報が変更されたことを示す。
【００１８】
受電装置通信部２０４は後述する送電装置通信部２２４と通信する。具体的には、受電装置通信部２０４は無線受電装置１０１に関する情報、例えば、無線受電装置１０１が有する電池２１２及び無線受電装置１０１に接続されたデバイス１０３が有する電池（不図示）（以下、単に「電池Ｂ」とする）に残る電力量（以下、「電力残量情報」という。）を後述する送電装置通信部２２４に送信する。受電装置表示操作部２０５は無線受電装置１０１に関する情報を表示する。また、受電装置表示操作部２０５はユーザが指示を入力するときに使用され、入力された指示に基づいて、例えば、無線受電装置１０１の設定内容が変更される。
【００１９】
充電制御部２０６は受電アンテナ２１０が受電し、且つレギュレータ２１１が出力した電力を使用して電池２１２を、例えば、定電圧定電流方式によって充電する。また、充電制御部２０６は無線受電装置１０１の各構成要素にレギュレータ２１１から出力された電力又は電池２１２から出力された電力を供給する。さらに、充電制御部２０６は電池２１２に残る電力量を定期的に計測し、電池２１２の電力残量情報を受電装置制御部２０９に送信すると共に、電力残量情報をＲＡＭ２０３に格納する。
【００２０】
有線Ｉ／Ｆ２０７は、例えば、ＵＳＢホストＩ／Ｆであり、無線受電装置１０１及びデバイス１０３を接続する。無線受電装置１０１及びデバイス１０３が接続されたとき、無線受電装置１０１はデバイス１０３に電力を供給すると共に、デバイス１０３と通信する。タイマ２０８は、例えば、受電装置通信部２０４がコマンドを送信し、当該コマンドへの応答を受信するまでの時間を測定する。
【００２１】
受電装置制御部２０９は無線受電装置１０１の各構成要素を制御する。また、受電装置制御部２０９はフラッシュＲＯＭ２０２に格納されたプログラムをＲＡＭ２０３に展開して実行する。レギュレータ２１１は無線受電制御部２０１からレギュレータ２１１へ出力される電力の電圧値又は電池２１２から充電制御部２０６へ出力される電力の電圧値を予め設定された電圧値となるように制御する。
【００２２】
図２の送電装置１０２は電力伝送部２２１、フラッシュＲＯＭ２２２、ＲＡＭ２２３、送電装置通信部２２４、送電装置表示操作部２２５、及びタイマ２２６を有し、これらの構成要素は送電装置制御部２２７を介して互いに接続されている。さらに、送電装置１０２は給電アンテナ２２８を有し、給電アンテナ２２８は電力伝送部２２１に接続されている。
【００２３】
電力伝送部２２１は給電アンテナ２２８から受電アンテナ２１０に供給される電力を生成する。給電アンテナ２２８から受電アンテナ２１０に供給される電力には駆動電力及び充電電力の２種類の電力からなり、駆動電力は受電装置通信部２０４を駆動し、充電電力は電池２１２及び電池Ｂを充電する。フラッシュＲＯＭ２２２は不揮発性のメモリであり、送電装置制御部２２７が使用するプログラム又は送電装置１０２に関する情報を格納する。ＲＡＭ２２３は揮発性メモリであり、送電装置制御部２２７が使用するプログラム、設定データ、又は無線受電装置１０１から受信したデータを格納する。
【００２４】
送電装置通信部２２４は受電装置通信部２０４と通信し、例えば、送電装置１０２が無線受電装置１０１に関する情報を要求するためのコマンドを送信する。なお、受電装置通信部２０４及び送電装置通信部２２４は所定の無線通信規格、例えば、無線ＬＡＮ規格、Ｂｌｕｅｔｏｏｔｈ（登録商標）規格、又はＢｌｕｅｔｏｏｔｈ  Ｌｏｗ  Ｅｎｅｒｇｙ規格に準拠して通信する。
【００２５】
送電装置表示操作部２２５は送電装置１０２に関する情報及び無線受電装置１０１から受信された情報を表示する。また、送電装置表示操作部２２５はユーザが指示を入力するときに使用され、入力された指示に基づいて、例えば、送電装置１０２の設定内容が変更される。タイマ２２６は、例えば、送電装置通信部２２４がコマンドを送信し、当該コマンドへの応答を受信するまでの時間を測定する。送電装置制御部２２７は送電装置１０２の各構成要素を制御する。また、送電装置制御部２２７はフラッシュＲＯＭ２２２に格納されたプログラムをＲＡＭ２２３に展開して実行する。
【００２６】
図３は、図２における送電装置制御部２２７によって実行される無線受電装置１０１への電力供給処理の手順を示すフローチャートである。
【００２７】
まず、駆動電力が生成され（ステップＳ３０１）、生成された駆動電力を受電装置通信部２０４に供給し、受電装置通信部２０４及び送電装置通信部２２４の通信の有無に基づいて無線受電装置１０１が送電装置１０２に接続されているか否かを判別する（ステップＳ３０２）。ステップＳ３０２の判別の結果、無線受電装置１０１が接続されていないとき、本処理を終了し、無線受電装置１０１が接続されているとき、無線受電装置１０１に関する情報を要求するためのコマンドを送信し（ステップＳ３０３）、当該コマンドに対して応答があったか否かを判別する（ステップＳ３０４）。
【００２８】
ステップＳ３０４の判別の結果、応答がなかったとき、ステップＳ３１２に進んで無線受電装置１０１との通信を終了し、応答があったとき、送電装置１０２に関する情報を無線受電装置１０１に送信する（ステップＳ３０５）。次に、無線受電装置１０１に関する情報を要求するためのコマンドを再度送信し（ステップＳ３０６）、当該コマンドに対して応答があったか否かを判別する（ステップＳ３０７）。ステップＳ３０７の判別の結果、応答がなかったとき、ステップＳ３１２に進み、応答があったとき、電池２１２の充電準備が完了したか否かを判別する（ステップＳ３０８）。
【００２９】
ステップＳ３０８の判別の結果、電池２１２の充電準備が完了していないとき、ステップＳ３０６に戻り、電池２１２の充電準備が完了したとき、充電電力が生成され、生成された充電電力を電池２１２に供給し（ステップＳ３０９）、無線受電装置１０１から電池２１２の電力残量情報を受信し（ステップＳ３１０）、電池２１２の充電が完了したか否かを判別する（ステップＳ３１１）。
【００３０】
ステップＳ３１１の判別の結果、無線受電装置１０１の充電が完了していないとき、ステップＳ３１０に戻り、無線受電装置１０１の充電が完了したとき、無線受電装置１０１との通信を終了し（ステップＳ３１２）、無線受電装置１０１への電力の供給を中止し（ステップＳ３１３）、本処理を終了する。
【００３１】
図４は、図２における受電装置制御部２０９によって実行される送電装置１０２からの電力受電処理の手順を示すフローチャートである。
【００３２】
図４において、まず、駆動電力が受電されたか否かを判別する（ステップＳ４０１）。ステップＳ４０１の判別の結果、駆動電力を受電していないとき、ステップＳ４０１に戻り、駆動電力を受電したとき、無線受電装置１０１に関する情報を送信し（ステップＳ４０２）、送電装置１０２に関する情報を受信したか否かを判別する（ステップＳ４０３）。
【００３３】
ステップＳ４０３の判別の結果、送電装置１０２に関する情報を受信していないとき、ステップＳ４０３に戻り、送電装置１０２に関する情報を受信したとき、無線受電装置１０１が有する電池２１２の充電の準備が完了したか否かを判別する（ステップＳ４０４）。ステップＳ４０４の判別の結果、電池２１２の充電の準備が完了していないとき、無線受電装置１０１に関する情報として充電の準備が完了していないことを送信し（ステップＳ４０５）、ステップＳ４０４に戻り、電池２１２の充電の準備が完了したとき、電池２１２の充電を開始し（ステップＳ４０６）、有線Ｉ／Ｆ２０７にデバイス１０３が接続されているか否かを判別する（ステップＳ４０７）。
【００３４】
ステップＳ４０７の判別の結果、有線Ｉ／Ｆ２０７にデバイス１０３が接続されているとき、電池Ｂに充電が必要か否かを判別する（ステップＳ４０８）。ステップＳ４０８の判別の結果、電池Ｂに充電が必要なとき、デバイス１０３に電力を供給して電池Ｂの充電を開始し（ステップＳ４０９）、電池Ｂの充電が完了したか否かを判別する（ステップＳ４１０）。ステップＳ４１０の判別の結果、電池Ｂの充電が完了したとき、電池２１２の充電が完了したか否かを判別する（ステップＳ４１３）。
【００３５】
ステップＳ４０７の判別の結果、有線Ｉ／Ｆ２０７にデバイス１０３が接続されていないとき、又はステップＳ４０８の判別の結果、電池Ｂに充電が必要でないとき、ステップＳ４１３に進む。ステップＳ４１０の判別の結果、電池Ｂの充電が完了していないとき、送電装置１０２に電池Ｂの充電が完了していないことを示す充電情報を送信し（ステップＳ４１１）、フラッシュＲＯＭ２０２に予め格納された所定の時間が経過するまで受電装置制御部２０９は待機し（ステップＳ４１２）、ステップＳ４１０に戻る。
【００３６】
ステップＳ４１３の判別の結果、電池２１２の充電が完了していないとき、ステップＳ４１１に進み、電池２１２の充電が完了したとき、電池２１２の充電が完了したことを示す充電完了通知（充電完了を示す情報）を送電装置１０２に送信し（ステップＳ４１４）、送電装置１０２との通信を切断して送電装置１０２からの電力の供給を中止し（ステップＳ４１５）、本処理を終了する。
【００３７】
図４の処理によれば、電池２１２及び電池Ｂの充電が完了したとき、充電完了通知が送電装置１０２に送信される（ステップＳ４１０，Ｓ４１３〜Ｓ４１４）。すなわち、電池２１２の充電が完了しただけでは充電完了通知が送電装置１０２に送信されず、送電装置１０２から無線受電装置１０１への電力の供給が停止することもないので、電池２１２の充電が完了し且つ電池Ｂの充電が完了する前に送電装置１０２から無線受電装置１０１への電力の供給が停止されることはなく、もって、無線受電装置１０１に有線接続され且つ無線接続に対応していないデバイス１０３の充電を確実に完了させることができる。
【００３８】
図５は、図４の電力受電処理の変形例の手順を示すフローチャートである。図５のステップ４０１〜Ｓ４０６，Ｓ４０９〜Ｓ４１５の処理は図４のステップ４０１〜Ｓ４０６，Ｓ４０９〜Ｓ４１５の処理と同一であるため、以下において、図４の処理と異なる点のみ説明する。なお、図５の無線受電装置１０１の受電可能な電力（以下、「最大受電量」という）は無線受電装置１０１に関する情報として、例えば、フラッシュＲＯＭ２０２に予め格納されている。
【００３９】
図５において、まず、有線Ｉ／Ｆ２０７にデバイス１０３が接続されているか否かを判別する（ステップＳ５０１）。ステップＳ５０１の判別の結果、有線Ｉ／Ｆ２０７にデバイス１０３が接続されているとき、デバイス１０３に充電が必要か否かを判別する（ステップＳ５０２）。ステップＳ５０２の判別の結果、デバイス１０３に充電が必要であるとき、予めフラッシュＲＯＭ２０２に格納された無線受電装置１０１の最大受電量にデバイス１０３の最大受電量を加算し、加算後の最大受電量を新たな無線受電装置１０１の最大受電量としてフラッシュＲＯＭ２０２に格納する（無線受電装置１０１に関する情報の変更）（ステップＳ５０３）。なお、新たな無線受電装置１０１の最大受電量は後述する受電量区分一覧６００（図６）に基づいてフラッシュＲＯＭ２０２に格納される。
【００４０】
図６の受電量区分一覧６００はＣａｔｅｇｏｒｙ１乃至Ｃａｔｅｇｏｒｙ５に区分された無線受電装置１０１の最大受電量を示す。例えば、無線受電装置１０１の最大受電量が６．５Ｗのとき、当該無線受電装置１０１に関する情報としてフラッシュＲＯＭ２０２にＣａｔｅｇｏｒｙ３が予め格納されている。
【００４１】
最大受電量が６．５Ｗの無線受電装置１０１に、例えば、最大受電量が２．５Ｗのデバイス１０３が接続されたとき、無線受電装置１０１の最大受電量にデバイス１０３の最大受電量が加算され、加算後の最大受電量（９．０Ｗ）が新たな無線受電装置１０１の最大受電量としてフラッシュＲＯＭ２０２に格納される。具体的には、新たな無線受電装置１０１の最大受電量が区分されているＣａｔｅｇｏｒｙ４がフラッシュＲＯＭ２０２に格納され、無線受電装置１０１の最大受電量はＣａｔｅｇｏｒｙ３からＣａｔｅｇｏｒｙ４に変更される。
【００４２】
受電量区分一覧６００では最大受電量が複数の区分に分類されているので、受電装置制御部２０９は送電装置１０２から受電できる最大の電力が変更されたか否かを簡単に判別することができる。
【００４３】
図５に戻り、ＲＡＭ２０３に格納されたフラグに１を入力し（ステップＳ５０４）、ステップＳ４０１に進む。ステップＳ５０１の判別の結果、有線Ｉ／Ｆ２０７にデバイス１０３が接続されていないとき、又はステップＳ５０２の判別の結果、デバイス１０３に充電が必要でないとき、ＲＡＭ２０３に格納されたフラグに０を入力し（ステップＳ５０５）、ステップＳ４０１に進む。
【００４４】
次いで、ステップＳ４０１〜Ｓ４０６の処理を実行してＲＡＭ２０３に格納されているフラグに１が入力されているか否かを判別する（ステップＳ５０６）。ステップＳ５０６の判別の結果、フラグに１が入力されているとき、ステップＳ４０９に進み、フラグに１が入力されていないとき、ステップＳ４０９〜Ｓ４１２をスキップしてステップＳ４１３に進む。
【００４５】
図５の処理によれば、フラグに１が入力されているか否かに基づいてデバイスに接続された電池Ｂへの充電を開始する（ステップＳ５０６）。図５の処理において、フラグに１が入力されていることは無線受電装置１０１に関する情報としての無線受電装置１０１の最大受電量が変化していることを示し、充電を要するデバイス１０３が無線受電装置１０１に接続されていることを示す。一方、フラグに０が入力されていることは無線受電装置１０１に関する情報としての無線受電装置１０１の最大受電量が変化していないことを示し、充電を要するデバイス１０３が無線受電装置１０１に接続されていないことを示す。
【００４６】
すなわち、フラグに１が入力されているか否かに基づいてデバイス１０３が無線受電装置１０１に有線接続されているか否かを判別するので、例えば、デバイス１０３が無線受電装置１０１に有線接続されているか否かの判別において、無線受電装置１０１の端子とケーブル１０４の端子との物理的接触を検知する必要がなく、もって、デバイス１０３が有線接続されているか否かの判別の信頼性を向上することができる。
【００４７】
次に、本発明の第２の実施の形態について説明する。
【００４８】
本発明の第２の実施の形態は、その構成、作用が上述した第１の実施の形態と基本的に同じであり、無線受電装置１０１が有する電池２１２の充電が完了し、一度送電装置１０２との通信を切断して送電装置１０２からの電力の供給を中止した後、無線受電装置１０１に接続されたデバイス１０３が有する電池Ｂの充電を開始する点で本発明の第１の実施の形態と異なる。以下、重複した構成、作用については説明を省略し、異なる構成、作用についての説明を行う。
【００４９】
図７は、図２における受電装置制御部２０９によって実行される送電装置１０２からの電力受電処理の手順を示すフローチャートである。図７のステップ４０１〜Ｓ４０６の処理は図４のステップ４０１〜Ｓ４０６の処理と同一であるため、以下において、図４の処理と異なる点のみ説明する。
【００５０】
無線受電装置１０１が有する電池２１２の充電を開始し（ステップＳ４０６）、電池２１２の充電が完了したか否かを判別する（ステップＳ７０１）。ステップＳ７０１の判別の結果、電池２１２の充電が完了していないとき、送電装置１０２に電池２１２の充電が完了していないことを示す充電情報を送信し（ステップＳ７０２）、フラッシュＲＯＭ２０２に予め格納された所定の時間が経過するまで待機し（ステップＳ７０３）、ステップＳ７０１に戻る。
【００５１】
ステップＳ７０１の判別の結果、電池２１２の充電が完了したとき、電池２１２の充電が完了したことを示す充電完了通知を送電装置１０２に送信し（ステップＳ７０４）、送電装置１０２との通信を切断して送電装置１０２からの電力の供給を中止し（ステップＳ７０５）、有線Ｉ／Ｆ２０７にデバイス１０３が接続されているか否かを判別する（ステップＳ７０６）。ステップＳ７０６の判別の結果、有線Ｉ／Ｆ２０７にデバイス１０３が接続されていないとき、本処理を終了し、有線Ｉ／Ｆ２０７にデバイス１０３が接続されているとき、ステップＳ４０１〜Ｓ４０３を実行する。
【００５２】
ステップＳ４０３の判別の結果、送電装置１０２に関する情報を受信したとき、電池Ｂの充電の準備が完了したか否かを判別する（ステップＳ７０７）。ステップＳ７０７の判別の結果、電池Ｂの充電の準備が完了していないとき、無線受電装置１０１に関する情報を送信し（ステップＳ７０８）、ステップＳ７０７に戻る。電池Ｂの充電の準備が完了したとき、電力伝送部２２１は充電電力を生成し、生成された充電電力は給電アンテナ２２８から受電アンテナ２１０に供給されると共に、有線Ｉ／Ｆ２０７に接続されたデバイス１０３が有する電池Ｂに供給され（電池Ｂの充電開始）（ステップＳ７０９）、電池Ｂの充電が完了したか否かを判別する（ステップＳ７１０）。ステップＳ７１０の判別の結果、電池Ｂの充電が完了していないとき、送電装置１０２に電池Ｂの充電が完了していないことを示す充電情報を送信し（ステップＳ７１１）、受電装置制御部２０９はフラッシュＲＯＭ２０２に予め格納された所定の時間が経過するまで待機し（ステップＳ７１２）、ステップＳ７１０に戻る。ステップＳ７１０の判別の結果、電池Ｂの充電が完了したとき、電池Ｂの充電が完了したことを示す充電完了通知を送電装置１０２に送信し（ステップＳ７１３）、送電装置１０２との通信を切断して送電装置１０２からの電力の供給を中止し（ステップＳ７１４）、本処理を終了する。
【００５３】
図７の処理によれば、電池２１２の充電が完了したと判別された後に有線Ｉ／Ｆ２０７にデバイス１０３が有線接続され（ステップＳ７０１，Ｓ７０４〜Ｓ７０６）、電池Ｂの充電が完了したと判別されたとき（ステップＳ７１０）、充電完了通知が送電装置１０２に送信される（ステップＳ７１３）。例えば、電池２１２の充電が完了した後に電池Ｂを充電する必要があるとき、受電装置制御部２０９は電池２１２の充電が完了したことを示す充電完了通知を送電装置１０２に送信した後であって、電池Ｂへの充電電力の供給開始から電池Ｂの充電が完了するまで、電池Ｂの充電が完了したことを示す充電完了通知を送電装置１０２に送信せず、送電装置１０２から無線受電装置１０１を介してのデバイス１０３への電力の供給が停止することもないので、無線受電装置１０１に有線接続され且つ無線接続に対応していないデバイス１０３が有する電池Ｂの充電を確実に完了させることができる。
【００５４】
上述した各実施の形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムを読み出して実行する処理において、そのプログラム、及び該プログラムを格納するコンピュータ読み取り可能な記憶媒体は本発明を構成する。
【符号の説明】
【００５５】
１０１  無線受電装置
１０２  送電装置
１０３  デバイス
１０４  ケーブル
２０４  受電装置通信部
２０７  有線Ｉ／Ｆ
２０９  受電装置制御部
２１０  受電アンテナ
２２４  送電装置通信部
【図１】
2016059203.tif 000003
【図２】
2016059203.tif 000004
【図３】
2016059203.tif 000005
【図４】
2016059203.tif 000006
【図５】
2016059203.tif 000007
【図６】
2016059203.tif 000008
【図７】
2016059203.tif 000009